(57)【特許請求の範囲】
【請求項１】
外部機器に給電するための機能面を有する給電ブロックと、
前記機能面が露出するように前記給電ブロックを収容する箱状の筐体と、
対象物の設置面に設置される支持体と、
前記筐体に取り付けられる化粧カバーと、を備え、
前記筐体は、前記機能面を露出させる開口部を有する第１本体と、前記第１本体と結合される第２本体とを有し、
前記筐体は、前記筐体から突出する突出部を有し、
前記支持体は、前記突出部に対応して配置される接合部を有し、
前記第１本体と前記第２本体とで囲まれる空間に前記支持体が配置され、前記突出部と前記接合部とが接合されることによって、前記筐体と前記支持体とは接合され、
前記化粧カバーは、前記突出部と前記接合部とが接合される部分を覆っている、
給電ボックス。
【請求項２】
前記筐体は、前記筐体から前記化粧カバーを外した状態で前記化粧カバーの取付方向から見て露出する取付面と、前記開口部が配置され前記設置面に対して立ち上がる開口面とを有し、
前記化粧カバーは、前記取付面への投影面積が、前記取付面の面積よりも小さい、
請求項１に記載の給電ボックス。
【請求項３】
前記取付面は、前記化粧カバーが配置される取付領域を有し、
前記取付領域は、仮想四角形の四辺に沿う四辺を有し、
前記化粧カバーは、前記取付領域の四辺に沿った四辺を有する、
請求項２に記載の給電ボックス。
【請求項４】
前記取付領域は、前記開口部が前記設置面とは反対側に向くように、前記設置面に対して傾斜している、
請求項３に記載の給電ボックス。
【請求項５】
前記取付領域の前記設置面に対する傾斜角度は、５〜１５度の範囲内である、
請求項４に記載の給電ボックス。
【請求項６】
前記化粧カバーは、前記取付面に沿った一方向に移動し、
前記筐体は、前記取付面に、前記化粧カバーの前記一方向への移動をガイドするガイド部と、前記化粧カバーを引っ掛ける引掛部とを有する、
請求項２乃至５のいずれか１項に記載の給電ボックス。
【請求項７】
前記筐体は、前記取付面に複数の突部を有し、
前記複数の突部は、前記第１本体に配置される第１突部と、前記第２本体に配置される第２突部とを含み、
前記化粧カバーは、その裏面に、複数の保持部を有し、
前記複数の保持部は、前記第１突部と前記第２突部とを保持している、
請求項２乃至６のいずれか１項に記載の給電ボックス。
【請求項８】
前記取付面は、第１取付面と、第２取付面とを含み、
前記化粧カバーは、第１取付面に取り付けられる第１化粧カバーと、第２取付面に取り付けられる第２化粧カバーとを含み、
前記第１化粧カバーと前記第２化粧カバーとは同形状であり、
前記複数の保持部は、前記第１取付面において前記第１突部と前記第２突部とを保持する第１保持部と、前記第２取付面において前記第１突部と前記第２突部とを保持する第２
保持部とを有し、
前記複数の保持部のうちの一部が、前記第１保持部を構成し、前記複数の保持部のうちの他部が、前記第２保持部を構成する、
請求項７に記載の給電ボックス。
【請求項９】
前記機能面を保護する保護カバーをさらに備え、
前記保護カバーは、前記筐体に、回転可能に結合され、
当該給電ボックスは、前記保護カバーが前記機能面を覆う閉状態と、前記閉状態から前記保護カバーが回転して、前記機能面を露出させる開状態とを有する、
請求項１乃至８のいずれか１項に記載の給電ボックス。
【請求項１０】
前記筐体は、前記保護カバーが結合されるカバー結合面を有し、
前記保護カバーは、前記設置面と平行な軸を中心に回転可能であり、
前記保護カバーは、前記保護カバーの回転を支持する回転支持部と、前記開状態において前記外部機器が載置される載置部と、前記開状態において前記外部機器が立て掛けられる立て掛け部とを有する、
請求項９に記載の給電ボックス。
【請求項１１】
前記立て掛け部は、前記閉状態において、前記機能面を覆う、
請求項１０に記載の給電ボックス。
【請求項１２】
前記保護カバーは、前記載置部と前記立て掛け部とが交差する関係で配置され、
前記カバー結合面は、前記第１本体に配置される第１カバー結合面と、前記第２本体に配置される第２カバー結合面とを有し、
前記閉状態では、前記載置部は前記第１カバー結合面を覆い、前記立て掛け部は前記設置面に向かって延び、
前記開状態では、前記載置部は前記第２カバー結合面に接し、前記立て掛け部は前記設置面とは反対方向に突出する、
請求項１１に記載の給電ボックス。
【請求項１３】
前記回転支持部は、開状態において、前記載置部から突出する、
請求項１２に記載の給電ボックス。
【請求項１４】
前記筐体は、前記カバー結合面において突出し、前記保護カバーの回転を支持する回転支持突部を有し、
前記回転支持突部は、前記開状態において、前記外部機器からの、前記立て掛け部とは離れる方向への力を受ける第１受部を有し、
前記回転支持部は、前記開状態において、前記外部機器からの、前記立て掛け部とは離れる方向への力を受ける第２受部を、前記第１受部に対応する位置に有し、
前記閉状態では、前記保護カバーの回転により、前記第２受部が隠れる、
請求項１３に記載の給電ボックス。
【請求項１５】
前記第２本体は、前記第１本体に引っ掛かることによって前記保護カバーの回転による応力を受ける引掛突部を有する、
請求項１２乃至１４のいずれか１項に記載の給電ボックス。
【請求項１６】
前記筐体は、前記保護カバーが回転する際に、前記保護カバーに当たって干渉する干渉部を有する、
請求項９乃至１５のいずれか１項に記載の給電ボックス。
【発明の詳細な説明】
【技術分野】
【０００１】
本発明は、給電ボックスに関し、より詳しくは、給電ブロックを収容する筐体を備えた給電ボックスに関する。
【背景技術】
【０００２】
電源用アウトレット（いわゆるコンセント）として、壁面及び床面など建物の構造面に設置されるアウトレットの他に、机やテーブルなどの什器に取り付けられるアウトレットが存在する。什器に取り付けられるアウトレットとしては、什器の内部に埋め込まれる埋込型と、什器の外面に取り付けられる露出型との２種類がある。このうち、露出型のアウトレットは、箱状の筐体を備えたアウトレットボックス（給電ボックス）として什器から独立して取り扱うことが可能である。
【０００３】
露出型のアウトレットとして、例えば特許文献１のコンセントボックスが開示されている。このコンセントボックスは、アウトレット（コンセント）を収容する箱状の筐体が、取付装置によって什器の上面に取り付けられている。
【先行技術文献】
【特許文献】
【０００４】
【特許文献１】特開２０１０−１６０９０２号公報
【発明の概要】
【発明が解決しようとする課題】
【０００５】
アウトレットボックス（給電ボックス）は、外部に露出するため、見栄えをよくしながら、固定強度を確保することが重要である。
【０００６】
本発明は、見栄えをよくしながら、固定強度を確保することができる給電ボックスを提供することを目的とする。
【課題を解決するための手段】
【０００７】
本発明の一態様に係る給電ボックスは、給電ブロックと、筐体と、支持体と、化粧カバーと、を備えている。前記給電ブロックは、外部機器に給電するための機能面を有する。前記筐体は、箱状であり、前記機能面が露出するように前記給電ブロックを収容する。前記支持体は、対象物の設置面に設置される。前記化粧カバーは、前記筐体に取り付けられている。前記筐体は、前記機能面を露出させる開口部を有する第１本体と、前記第１本体と結合される第２本体とを有している。前記筐体は、前記筐体から突出する突出部を有している。前記支持体は、前記突出部に対応して配置される接合部を有している。前記第１本体と前記第２本体とで囲まれる空間に前記支持体が配置され、前記突出部と前記接合部とが接合されることによって、前記筐体と前記支持体とは接合されている。前記化粧カバーは、前記突出部と前記接合部とが接合される部分を覆っている。
【発明の効果】
【０００８】
本発明によれば、見栄えをよくしながら、固定強度を確保することができる給電ボックスを得ることができる。
【図面の簡単な説明】
【０００９】
【図１】図１は、本発明に係る一実施形態の給電ボックスの開状態を示す斜視図である。
【図２】図２は、同上の給電ボックスの閉状態を示す斜視図である。
【図３】図３は、同上の給電ボックスの分解斜視図である。
【図４】図４は、同上の給電ボックスを示し、化粧カバーが取り外され、保護カバーが途中まで開いている状態の斜視図である。
【図５】図５は、同上の給電ボックスの側面図である。
【図６】図６は、同上の給電ボックスを示し、化粧カバーが取り外された状態の側面図である。
【図７】図７は、同上の給電ボックスに用いられる化粧カバーの裏面を示す図（背面図）である。
【図８】図８は、同上の給電ボックスに用いられる開状態に対応する状態での保護カバーの正面図である。
【図９】図９は、同上の給電ボックスを示し、化粧カバーが取り外され、保護カバーが開状態の斜視図である。
【図１０】図１０は、同上の給電ボックスの断面図である。
【図１１】図１１Ａ〜図１１Ｃは、同上の給電ボックスにおける干渉部による干渉を説明する説明図である。図１１Ａは開状態を示し、図１１Ｂは開状態から閉状態に移る途中の状態を示し、図１１Ｃは閉状態を示す。
【図１２】図１２は、同上の給電ボックスを使用した様子を示す斜視図である。
【発明を実施するための形態】
【００１０】
図１〜図３は、本実施形態の給電ボックス（給電ボックス１）の概要を示している。図１は、機能面１７０が露出した開状態の給電ボックス１を示し、図２は、機能面１７０が保護カバー５０に覆われて保護された閉状態の給電ボックス１を示している。また、図３は、給電ボックス１の分解斜視図を示している。図１及び図２では、給電ボックス１は対象物２に取り付けられている。
【００１１】
図１〜図３では、３次元的に給電ボックス１を説明するため、Ｘ軸、Ｙ軸及びＺ軸を設定している。Ｘ軸、Ｙ軸及びＺ軸は、垂直な関係にある。以下の給電ボックス１の説明では、特に断りのない限り、便宜上、Ｚ軸の正の方向を前方向、Ｚ軸の負の方向を後方向、Ｙ軸の正の方向を上方向、Ｙ軸の負の方向を下方向、Ｘ軸の正の方向を右方向、Ｘ軸の負の方向を左方向とする。また、前方向と後方向とを合わせて前後方向といい、上方向と下方向とを合わせて上下方向といい、右方向と左方向とを合わせて左右方向という。なお、構成の位置関係を表す際には、左右方向を単に側方ということがある。本実施形態の給電ボックス１の通常の使用方法では、上下方向は、通常、鉛直方向（地表面に対して垂直な方向）となる。上下方向は、設置面２Ａに垂直な方向である。保護カバー５０の回転軸の軸方向は、左右方向である。なお、図４以降の図においても、給電ボックス１を説明するために、Ｘ軸、Ｙ軸及びＺ軸が、適宜、表されている。図５、図６、図１０及び図１１Ａ〜図１１Ｃにおいて、丸の中心に点が入った記号は、紙面に垂直に奥から手前に向かう方向を示す。
【００１２】
図３に示すように、給電ボックス１は、給電ブロック７０と、支持体４０と、筐体１０と、保護カバー５０と、２つの化粧カバー６０とを備えている。図３では、筐体１０が分解された状態を示しており、第１本体２０と第２本体３０とを合わせることにより、筐体１０が構成される。また、保護カバー５０は分解された状態を示しており、保護カバー本体５００とカバー回転軸５０１とを合わせることにより、保護カバー５０が構成される。
【００１３】
給電ブロック７０は、図３に示すように、直方体状の部材である。給電ブロック７０は、外部機器３に給電を行うための機能面１７０を有している（図１２参照）。給電ブロック７０は、いわゆる配線用差込接続器で構成される。機能面１７０は、給電ブロック７０の長方形状となった前面で構成される。機能面１７０では、給電のための接続を行う給電接続部７０Ａが露出している。給電接続部７０Ａは、複数の差込口７０ａを有しており、この差込口７０ａの内部に、給電端子が配置されている。給電接続部７０Ａの差込口７０ａはプラグの差し込みが可能であり、この差し込まれたプラグを通して外部の電気機器に給電端子から電力を供給することができる。給電端子は、金属材料などの導電体により構成されており、この導電体とプラグとが電気的に接続される。
【００１４】
給電ブロック７０は、複数の給電接続部７０Ａを有している。複数の給電接続部７０Ａは、図１では、ＡＣ給電部７０１と、ＵＳＢ給電部７０２とを含んでいる。ＡＣ給電部７０１は、交流（ＡＣ）の電源用端子を有している。電源用端子は、プラグの栓刃を受ける刃受けを備えている。ＵＳＢ給電部７０２は、例えばスマートフォンなどの携帯機器の充電の際に、電源用に使用可能な端子を有している。ＡＣ給電部７０１は、一対の差込口７０ａを有しており、この一対の差込口７０ａにプラグが差し込まれて、プラグに電力が供給される。一対の差込口７０ａは、上下方向に並んでいる。上下方向に並んだ一対の差込口７０ａのうち、下側の差込口に、接地側の端子（いわゆるＷ端子）が配置される。ＵＳＢ給電部７０２は、左右方向に並んだ２つの差込口７０ａを有している。この２つの差込口７０ａは、単独で使用可能である。ＵＳＢ給電部７０２は、ＡＣ−ＤＣコンバータ等の電気回路を内蔵しており、この電気回路から、携帯機器などの外部の機器に電力を供給する。
【００１５】
図４は、化粧カバー６０を取り外した状態の給電ボックス１を示している。筐体１０は、箱状となっており、図１〜図４から分かるように、給電ブロック７０を収容している。ただし、機能面１７０は筐体１０に覆われず、外部に露出している。そのため、給電端子を通して外部の機器への電力の供給が可能になる。
【００１６】
筐体１０は、第１本体２０と第２本体３０とにより構成されている。第１本体２０及び第２本体３０は樹脂成形品である。第１本体２０は、筐体１０の前部を構成し、第２本体３０は、筐体１０の後部を構成する。給電ブロック７０の後部は、第２本体３０により覆われている。給電ブロック７０の上部及び両側部は、第１本体２０及び第２本体３０により覆われている。筐体１０は、実質的に、左右対称な形状を有する。実質的に、第１本体２０は左右対称な形状であり、第２本体３０は左右対称な形状である。
【００１７】
第１本体２０は、その前面に、開口部２１を有している。開口部２１は、機能面１７０を露出させるための開口である。開口部２１は、給電ブロック７０の前面に対応した大きさを有する。開口部２１は、左右方向に長い長方形である。
【００１８】
第２本体３０は、第１本体２０に結合される。第１本体２０と第２本体３０との結合により、筐体１０が形成される。本実施形態では、第２本体３０の両側部に設けられた係合部３１が、第１本体２０の両側部に設けられた係合受部２２に引っ掛かることにより、第１本体２０と第２本体３０とが結合され、筐体１０が箱状の状態となる。ただし、第１本体２０及び第２本体３０は、弾性変形が可能であるため、弾性変形によって引っ掛かりを外し、結合前の状態に戻すことができる。つまり、第１本体２０及び第２本体３０は、着脱可能に結合されている。
【００１９】
第２本体３０は、図３に示すように、ノックアウト部３３を有している。ノックアウト部３３は、給電ブロック７０の後方に配置されている。ノックアウト部３３は、第２本体３０の凹みにより設けられている。第２本体３０は、ノックアウト部３３が設けられた部分の厚みが薄くなっている。ノックアウト部３３は、複数のリブ３３ａに囲まれている。給電ボックス１の後方から電気配線を接続する方法を採用する場合には、ノックアウト部３３を除去することにより、孔を形成することができる。このとき、ノックアウト部３３の周囲には複数のリブ３３ａが設けられているため、第２本体３０が破損されにくい。このようにして形成された孔を通して、給電ブロック７０に電気接続するための電気配線を通すことができる。ただし、給電ボックス１の下方から電気配線を接続するときには、ノックアウト部３３は除去されなくてよい。ノックアウト部３３は凹んでおり、ノックアウト部３３の周囲にはリブ３３ａが設けられているため、ノックアウト部３３が除去されると、形の整った孔が形成される。ノックアウト部３３は、ペンチなどの工具により容易に除去することができる。
【００２０】
給電ブロック７０は、筐体１０に固定されている。給電ブロック７０は、その両側面に突出した係合突起７２を有している。第１本体２０は、係合突起７２に対応する位置に係合用孔２４を有しており、この係合用孔２４に係合突起７２が入ることにより、給電ブロック７０が第１本体２０に固定される。給電ブロック７０を筐体１０に収容する際には、給電ブロック７０を第１本体２０に固定し、その後、第１本体２０と第２本体３０とを結合することができる。そのため、開口部２１に機能面１７０を配置させることが容易になり、筐体１０に給電ブロック７０を収まりよく外観を整えて配置させることができる。
【００２１】
支持体４０は、給電ボックス１を対象物２に固定する。支持体４０は、対象物２の設置面２Ａに設置される。支持体４０は、金属製である。支持体４０は、例えば、金属板の加工により形成される。支持体４０は、設置孔４３を有している。設置孔４３は、ネジや釘などの設置具が通される貫通孔である。図３の支持体４０では、設置孔４３は４つ設けられる。設置孔４３の数が４つ以上であると、４点以上で支持体４０を対象物２に固定することができるため、設置強度が向上する。設置孔４３を通して対象物２に設置具が打ち込まれることで、支持体４０は、対象物２に固定される。支持体４０が対象物２に設置される面は、設置面２Ａである。設置面２Ａは、平坦な面である。設置面２Ａは地表面に対して平行な面である。
【００２２】
対象物２は、什器などであってよい。什器としては、例えば、机、棚、カウンター台などが挙げられる。
【００２３】
支持体４０は、図３に示すように、設置面２Ａと接する基部４５と、基部４５の両側端から斜め上方に延びる支持体側部４６と、支持体側部４６の上端から側方に突出する接合部４１とを有している。本実施形態では、支持体側部４６は２つ設けられ、接合部４１は２つ設けられている。基部４５の中央には、開口４５ａが設けられている。開口４５ａがあると、開口４５ａを通して電気配線を通すことができ、給電ブロック７０との電気接続が容易になる。また、開口４５ａがあると、基部４５と設置面２Ａとの接触面積が小さくなるため、設置面２Ａの表面粗さに起因したがたつきが抑制され、支持体４０の固定強度が向上する。各接合部４１は、筐体１０との接合を行うためのネジ孔４１ａを２つ有している。ネジ孔４１ａは、ネジ溝を有しており、ネジの取り付けが可能である。ネジ孔４１ａは、貫通孔となっている。基部４５の前端には、差し込み部４７が設けられている。差し込み部４７は、前方に突出した片で構成されている。差し込み部４７は、第１本体２０に設けられた受け部によって受け入れられる。この受け部は、差し込み部４７を受けることができる形状を有する。差し込み部４７が受け部に挿入されることで、支持体４０と第１本体２０との相対的な位置関係が規制される。これにより、給電ボックス１の設置の際に、第１本体２０と支持体４０とを仮固定することができる。また、突出部１１と、その突出部１１に対応する接合部４１との位置決めが容易になる。
【００２４】
支持体４０と筐体１０とは、図４に示すように、接合部分８０において接合される。支持体４０は、筐体１０を支持する。接合部分８０は、筐体１０の両側部に配置されている。筐体１０は、筐体１０の左右方向の両側面から側方に突出する複数の突出部１１を有している。本実施形態では、複数の突出部１１は、第１本体２０に配置される第１突出部２１１と、第２本体３０に配置される第２突出部３１１とを含んでいる。第１突出部２１１は、第１本体２０の両側部に設けられており、合計２個である。第２突出部３１１は、第２本体３０の両側部に設けられており、合計２個である。図３に示すように、突出部１１は、接合孔１１ａを有している。１つの突出部１１に、１つの接合孔１１ａが設けられている。接合孔１１ａは貫通孔である。一方、支持体４０は、突出部１１に対応して配置される接合部４１を有している。接合部４１は、筐体１０の側方に飛び出す。筐体１０は、第１本体２０と第２本体３０との境界部分に接合部４１を飛び出させるための間隙１８を有している（図６参照）。間隙１８は、筐体１０の左右両側に設けられており、合計２個である。支持体４０の基部４５及び支持体側部４６は、筐体１０に収容される。組み立て後の給電ボックス１では、接合部４１は、間隙１８から飛び出し、突出部１１の下方に配置される。そして、ネジで構成される接合具８１によって、突出部１１と接合部４１とが接合される。具体的には、接合具８１が接合孔１１ａを通り、ネジ孔４１ａに締め付けられる。これにより、接合部分８０において突出部１１と接合部４１とが接合され、筐体１０は、支持体４０に固定される。接合部分８０とは、突出部１１と、接合部４１と、接合具８１とを意味する。接合部分８０は、突出部１１と接合部４１とが接合される部分である。本実施形態では、第１本体２０及び第２本体３０は、左右両側に複数の突出部１１を有しており、その複数の突出部１１が支持体４０に接合される。そのため、筐体１０と支持体４０との取付強度が向上する。
【００２５】
本実施形態では、接合部４１は、支持体側部４６の上端から斜め下方（すなわち設置面２Ａに近づく方向）に向かって延びている。また、突出部１１は、接合部４１に対応するように、斜め下方（すなわち設置面２Ａに近づく方向）に向かって突出している。このため、接合具８１の取り付けの際には、ドライバなどの治具を斜めに向けて接合具８１を取り付けることができるため、接合具８１の取り付けが容易になる。
【００２６】
化粧カバー６０は、筐体１０に取付けられるカバーである。化粧カバー６０は、筐体１０の両側部に配置されており、合計２個である。化粧カバー６０は、筐体１０の一側面において、２つの突出部１１と１つの接合部４１と２つの接合具８１とを覆っている。これにより、接合部分８０は、隠され、外部に露出しなくなる。間隙１８も化粧カバー６０に覆われ、隠される。化粧カバー６０によって、接合具８１を含む筐体１０と支持体４０とが接合する部分（接合部分８０）が隠されることにより、給電ボックス１の外観が整えられ、給電ボックス１の見栄えがよくなる。そのため、給電ボックス１の見栄えを良くしながら、固定強度を確保することができる。また、化粧カバーは、第１本体２０と第２本体３０との境界を跨って配置されている。そして、化粧カバー６０は、第１本体２０と第２本体３０とが接合される部分（係合受部２２及び係合部３１）を覆っている。そのため、第１本体２０と第２本体３０とが接合された部分を隠すことができるため、給電ボックス１の見栄えがさらによくなる。また、第１本体２０と第２本体３０とが接合された部分を隠すことにより、この接合された部分から異物が侵入するのを抑制することができ、給電ボックス１の防塵性及び防水性が向上する。また、筐体１０と化粧カバー６０とによって、支持体４０が囲まれるため、支持体４０は外部に露出せず、隠されている。そのため、給電ボックス１の見栄えをさらに良くしながら、固定強度を確保することができる。
【００２７】
筐体１０は、化粧カバー６０が取り付けられる２つの取付面１０１と、開口部２１が配置される開口面１０２とを有している。本実施形態では、取付面１０１は、筐体１０の両側面として、２つ存在する。開口面１０２は、筐体１０の前面であり、機能面１７０が露出する面となる。取付面１０１は、開口面１０２に隣り合う面である。取付面１０１は、設置面２Ａに対して立ち上がる面となっている。開口面１０２は、設置面２Ａに対して立ち上がる面となっている。設置面２Ａに対して立ち上がる面とは、ここでは、面の主要な部分（出っ張り及び凹みを除いた部分）と設置面２Ａとのなす角が６０度以上となる面のことを意味する。
【００２８】
図５は、取付面１０１に対向する方向で見た給電ボックス１を示している。図５では、給電ボックス１を側方から（右から左に）見ている。ただし、化粧カバー６０によって取付面１０１の大部分は隠されている。
【００２９】
図６は、化粧カバー６０を取り外した状態において、給電ボックス１を、右側から、取付面１０１に対向するようにして見た様子を示している。図６は、図５の給電ボックス１から、化粧カバー６０を取り外した状態といってよい。取付面１０１とは、筐体１０の側面全体を意味する。取付面１０１は、筐体１０の右側面と左側面とに設けられている。以下では、筐体１０の右側面の様子が主に説明されるが、この説明は、筐体１０の左側面にも同様に適用される。
【００３０】
図５及び図６から分かるように、本実施形態では、化粧カバー６０は、取付面１０１への投影面積が、取付面１０１の面積よりも小さくなっている。給電ボックス１は、対象物２の外面（通常は上面）に飛び出して設けられるため、給電ボックス１の飛び出しが大きいと、給電ボックス１が目立ち、見栄えがよくなくなるおそれがある。しかしながら、化粧カバー６０の面積が取付面１０１の面積よりも小さいと、給電ボックス１が側方から見られたときに、面積の小さい化粧カバー６０によって給電ボックス１の大きさが実際よりも小さく感じられる。すなわち、化粧カバー６０によって、給電ボックス１の大きさを小さく見せることが可能となる。そのため、化粧カバー６０によって給電ボックス１の見栄えをよくすることができる。
【００３１】
取付面１０１は、化粧カバー６０が配置される領域を有しており、この領域は、取付領域１１０と定義される。取付領域１１０は、化粧カバー６０によって覆われる領域である。図６に示すように、本実施形態では、取付領域１１０は、仮想四角形１１５の四辺に沿う四辺を有している。図６では、仮想四角形１１５は、２点破線で描画されている。仮想四角形１１５とは、仮想上の四角形である。仮想四角形１１５は、上辺１１６、前辺１１７、下辺１１８、及び後辺１１９を有している。仮想四角形１１５は、矩形（正方形又は長方形）である。また、ここでは、取付領域１１０の四辺は、上辺１１１、前辺１１２、下辺１１３、及び後辺１１４と定義される。取付領域１１０の四辺は、仮想四角形１１５の四辺に沿っている。具体的には、上辺１１１は上辺１１６に、前辺１１２は前辺１１７に、下辺１１３は下辺１１８に、後辺１１４は後辺１１９に、それぞれ沿っている。これらの対応する２辺は、略平行である。上辺１１１、前辺１１２、下辺１１３及び後辺１１４を延ばすと、略矩形（略正方形又は略長方形）の形状が形成される。一方、図５に示すように、化粧カバー６０は、側方から見た形状が矩形状（正方形又は長方形）である。ただし、化粧カバー６０の矩形の角部は丸まっている。化粧カバー６０は、矩形状に形成されているため、四辺を有している。化粧カバー６０の四辺は、上辺６０１、前辺６０２、下辺６０３及び後辺６０４と定義される。そして、化粧カバー６０の四辺は、取付領域１１０の四辺に沿っている。具体的には、上辺６０１は上辺１１１に、前辺６０２は前辺１１２に、下辺６０３は下辺１１３に、後辺６０４は後辺１１４に、それぞれ沿っている。これらの対応する２辺は、略平行である。このように、化粧カバー６０は、取付領域１１０に沿った四辺を有している。化粧カバー６０の四辺が、仮想四角形１１５の四辺に沿っているということもできる。化粧カバー６０が取付領域１１０に沿った四辺を有することにより、筐体１０と化粧カバー６０との一体感が高まり、給電ボックス１の見栄えをさらに向上させることができる。見方を変えれば、取付領域１１０は、化粧カバー６０の四辺に沿った四辺を有する、といえる。
【００３２】
化粧カバー６０の四辺が形成する仮想四角形は、正方形であってよい。それにより、給電ボックス１の意匠性が向上する。また、取付領域１１０の四辺が形成する仮想四角形は、正方形であってもよい。その場合、給電ボックス１の意匠性が向上する。
【００３３】
図６で示すように、仮想四角形に沿った形状を有する取付領域１１０は、設置面２Ａに対して傾斜している。取付領域１１０の四辺が形成する仮想四角形は、傾いている。取付領域１１０は、開口部２１が設置面２Ａとは反対側に向くように設置面２Ａに対して傾斜している。つまり、開口部２１は、下向きではなく、上向きになっている。そのため、給電ボックス１の意匠性が向上する。開口部２１が上向きになることで、機能面１７０が上向きになる。下辺１１３と設置面２Ａとのなす角は、９０度未満の鋭角である。
【００３４】
図５で示すように、化粧カバー６０は、取付領域１１０が傾斜することにより、設置面２Ａに対して傾斜している。化粧カバー６０の傾斜は取付領域１１０の傾斜に対応する。このように、化粧カバー６０が傾斜すると、意匠性が高まり、給電ボックス１の見栄えが向上する。
【００３５】
図６では、取付領域１１０の設置面２Ａに対する傾斜角度がθで表されている。傾斜角度θは、５〜１５度の範囲内であることが好ましい。それにより、見栄えがよい給電ボックス１を得ることができる。化粧カバー６０の傾斜角度は、傾斜角度θに相当する。傾斜角度θは、設置面２Ａと下辺１１３とがなす角度に相当する。
【００３６】
ここで、図１及び図２から分かるように、筐体１０は、直方体状の部分を有している。筐体１０内の直方体状の部分は、主部１０Ａと定義される。また、筐体１０は、主部１０Ａの下方に配置され、主部１０Ａと設置面２Ａとの間に配置される台部１０Ｂを有している。ただし、主部１０Ａ及び台部１０Ｂは、第１本体２０及び第２本体３０の一部によって構成され、独立した部材とはなっていない。筐体１０に主部１０Ａと台部１０Ｂとが設けられると、給電ボックス１に意匠性が付与され、給電ボックス１の見栄えがよくなる。
【００３７】
主部１０Ａは、左右方向に長い直方体形状を有している。主部１０Ａは、仮想上の直方体を形成する少なくとも３面、４面、５面又は６面を有している。本実施形態では、筐体１０の前面、右側面、左側面、上面、後面により、直方体形状が形成される。これらの面は、仮想直方体に沿った面である。直方体形状では、隣り合う面が垂直な関係を有し、対向する面が平行な関係を有する。このような関係となった面が、給電ボックス１を見る人に対して直方体の印象を与えることができる。
【００３８】
取付領域１１０は、主部１０Ａの側面で構成されている。主部１０Ａの前面には、開口部２１が配置されている。台部１０Ｂは、開口部２１が上向きになるように、主部１０Ａの前部が持ち上げられた形状になっている。台部１０Ｂは、前方になるほど、上下方向の長さが長い。そして、主部１０Ａは、設置面２Ａに対して傾斜している。この主部１０Ａの傾斜する角度が、上述の傾斜角度θに相当する。主部１０Ａの前面には機能面１７０が配置されている。そのため、傾斜角度θで主部１０Ａが傾斜されると、機能面１７０が上向きになり、機能面１７０を介したプラグの差し込みが容易になる。また、機能面１７０が上向きになると、機能面１７０の下方のスペースを大きくとれるため、プラグを容易に差し込むことができ、給電ボックス１の利便性が向上する。また、図６に示すように、台部１０Ｂは、主部１０Ａの下端よりも後方に凹んでいる。このように、台部１０Ｂが凹むと、主部１０Ａの前面が設置面２Ａまで延びる場合に比べて、給電ボックス１の設置面２Ａ付近の大きさを小さくすることができる。そのため、給電ボックス１の全体の大きさが小さくなり、給電ボックス１の見栄えが向上する。また、台部１０Ｂが凹んでいることにより、プラグを差し込む際には、主部１０Ａの上部と下部とが押えられて給電ボックス１が容易に固定される。そのため、プラグの差し込みを安定して行うことができる。
【００３９】
図７は、化粧カバー６０の裏面を示している。化粧カバー６０は、筐体１０に着脱可能に取り付けられる。それにより、給電ボックス１の補修などの際に、化粧カバー６０を取り外すことが容易になる。化粧カバー６０は、前後方向において対称に、すなわち図７における左右対称に、形成されている。それにより、同形状の化粧カバー６０を筐体１０の左右両側に取り付けることが容易になる。給電ボックス１には、同形状の化粧カバー６０が２つ取り付けられる（図４参照）。
【００４０】
化粧カバー６０の裏面には、接合部分８０の側方に配置される凹部６３が設けられている。凹部６３により、突出部１１及び接合部４１が化粧カバー６０に当たりにくくなる。化粧カバー６０は、表面側になるほど、すなわち給電ボックス１の外側方になるほど、先細りするテーパ状に形成されている。すなわち、化粧カバー６０は、上下方向の長さ及び左右方向の長さが、筐体１０から離れるにつれて徐々に小さくなっている。化粧カバー６０は四角錐台状に形成されている。それにより、給電ボックス１の意匠性が向上する。
【００４１】
化粧カバー６０は、取り付けられる際、取付面１０１に沿った一方向に移動する。本実施形態では、化粧カバー６０は、両側方から筐体１０に近づき、下方向にスライドして、筐体１０に取り付けられる。そして、図４及び図６に示すように、筐体１０は、取付面１０１に、化粧カバー６０の前記一方向への移動、すなわち下方向への移動をガイドするガイド部１２を有している。ガイド部１２は、筐体１０の左右両側に設けられており、合計２個である。ガイド部１２は、化粧カバー６０の上下方向の移動をガイドすることができる。化粧カバー６０は、ガイド部１２によって、前後方向への移動が規制される。そのため、化粧カバー６０を確実に取付面１０１に取り付けることができる。本実施形態では、上述したように、取付領域１１０が設置面２Ａに対して傾いており、化粧カバー６０を設置面２Ａから傾く方向に移動させることを要するため、特に、ガイド部１２が有効に機能する。
【００４２】
ガイド部１２は、筐体１０に設けられた直線状に延びる突出部分によって設けられている。ガイド部１２は、取付領域１１０の前辺１１２と平行に延びている。ガイド部１２は、第２本体３０に設けられている。一方、化粧カバー６０には、図７に示すように、ガイド受けとなる複数（４つ）のガイド受突部６４が設けられている。複数のガイド受突部６４に含まれる一対のガイド受突部６４の間が、ガイド部１２を通す隙間６４ａとなる。隙間６４ａは、１つの化粧カバー６０に、２つ設けられている。化粧カバー６０が取り付けられる際には、ガイド部１２は、一対のガイド受突部６４の間（隙間６４ａ）を通る。本実施形態では、左右両側の筐体１０に同形状の化粧カバー６０を取り付けることができるように、一対のガイド受突部６４が、２組設けられている。化粧カバー６０が取り付けられる際には、２組となった一対のガイド受突部６４のうちの１組が、ガイド部１２をガイドする。本実施形態では、後方に配置される一対のガイド受突部６４が、ガイド部１２をガイドする。具体的には、図７における左側の一対のガイド受突部６４が、筐体１０の右側面のガイド部１２をガイドすることができる。２つの隙間６４ａのうちの１つの隙間６４ａが、ガイド受けとして機能する。
【００４３】
筐体１０は、図４及び図６に示すように、取付面１０１に、化粧カバー６０を引っ掛ける複数の引掛部１３を有している。引掛部１３は、複数設けられている。引掛部１３は、取付領域１１０の上端部、前端部及び後端部に配置されている。引掛部１３は、第１本体２０の上端部に設けられた第１引掛部１３ａと、第１本体２０の前端部に設けられた第２引掛部１３ｂと、第２本体３０の上端部に設けられた第３引掛部１３ｃと、第２本体３０の後端部に設けられた第４引掛部１３ｄとを含んでいる。これら複数の引掛部１３は、筐体１０の左右両側にそれぞれ設けられている。一方、化粧カバー６０には、引掛部１３に引っ掛けられる引掛突片６２が設けられている。引掛突片６２は、複数設けられている。本実施形態では、化粧カバー６０の上端部に第１引掛突片６２ａが配置され、化粧カバー６０の、図７における左右両端部に、第２引掛突片６２ｂが設けられている。第１引掛突片６２ａは１つであり、第２引掛突片６２ｂは合計２つである。化粧カバー６０が筐体１０に取り付けられる際には、第１引掛部１３ａ及び第３引掛部１３ｃが、第１引掛突片６２ａに引っ掛かる。また、第２引掛部１３ｂが、２つの第２引掛突片６２ｂのうちの一方と引っ掛かり、第４引掛部１３ｄが、２つの第２引掛突片６２ｂのうちの他方と引っ掛かる。これにより、化粧カバー６０が筐体１０に引っ掛かって取り付けられる。第３引掛部１３ｃはガイド部１２の上端部に設けられている。
【００４４】
また、図４及び図６に示すように、筐体１０は、取付面１０１に複数の突部１４を有している。複数の突部１４は、第１本体２０に配置される第１突部１４１と、第２本体３０に配置される第２突部１４２とを含んでいる。第１突部１４１は、筐体１０の前部に配置され、第２突部１４２は、筐体１０の後部に配置される。第１突部１４１は、筐体１０の左右両側に設けられ、合計２個である。第２突部１４２は、筐体１０の左右両側に設けられ、合計２個である。一方、図７に示すように、化粧カバー６０は、その裏面に、複数の保持部６１を有している。１つの化粧カバー６０において、保持部６１は、合計４個である。保持部６１は、化粧カバー６０の裏面において突出する部分で構成されている。保持部６１は、Ｕ字状の開放部分が内側に向いた保持受部６１ａと、上下方向に直線状に延びる直進部６１ｂとを有する。保持受部６１ａが上側に配置され、直進部６１ｂが下側に配置されている。複数の保持部６１は、突部１４に対応して設けられている。そして、化粧カバー６０が取り付けられる際には、複数の保持部６１は、第１突部１４１と第２突部１４２とを保持することができる。具体的には、複数の保持部６１のうちの左右の保持部６１が一対となって、この一対の保持部６１が、第１突部１４１の前端と、第２突部１４２との後端とを挟み込む。これにより、保持部６１が突部１４を保持し、化粧カバー６０が筐体１０に固定される。本実施形態では、保持部６１は、Ｕ字状となった保持受部６１ａを有しており、この保持受部６１ａに突部１４が嵌り込む。そのため、化粧カバー６０は、取り付けられた後、上下方向への移動が規制されて、所定の位置で固定される。このとき、直進部６１ｂは、突部１４が保持受部６１ａに嵌る状態へと誘導することができる。ただし、化粧カバー６０を上方向に動かすための所定の力を加えた場合には、突部１４が保持受部６１ａから抜け出し、保持部６１と突部１４との嵌り込みが解除されて、化粧カバー６０を筐体から取り外すことが可能になる。化粧カバー６０は着脱可能に筐体１０に取り付けられている。
【００４５】
取付面１０１は、筐体１０の左右両側の面であり、２つ存在する。取付面１０１のうち、右側の面を第１取付面１０１Ａと定義し、左側の面を第２取付面１０１Ｂと定義する。第１取付面１０１Ａと、第２取付面１０１Ｂは、左右で反転させた形状となっている。図６は、筐体１０の右側面の様子を示しているが、図６を鏡に写した図は、筐体１０の左側面の様子に対応する。また、化粧カバー６０は、２つの取付面１０１に取り付けられ、２つ存在する。化粧カバー６０のうち、第１取付面１０１Ａに取り付けられる化粧カバー６０を第１化粧カバー６０Ａと定義し、第２取付面１０１Ｂに取り付けられる化粧カバー６０を第２化粧カバー６０Ｂと定義する。ただし、第１化粧カバー６０Ａと第２化粧カバー６０Ｂとは、取り付けられる筐体１０の場所が異なるだけであり、同形状である。上記のように定義したとき、複数の保持部６１は、第１取付面１０１Ａにおいて第１突部１４１と第２突部１４２とを保持する第１保持部６１１と、第２取付面１０１Ｂにおいて第１突部１４１と第２突部１４２とを保持する第２保持部６１２とを有する。そして、このとき、複数の保持部６１のうちの一部が、第１保持部６１１を構成し、複数の保持部６１１のうちの他部が、第２保持部６１２を構成する。これにより、同形状の化粧カバー６０を用いた場合であっても、左右両側の筐体１０に容易に化粧カバー６０を取り付けることが可能になる。特に、本実施形態では、取付領域１１０が設置面２Ａに対して傾斜しており、また、取付領域１１０の表面は前後で対称な形状を有していない。そのため、複数の保持部６１で保持する際には、複数の突部１４と複数の保持部６１との位置関係が筐体１０の左右において異なっており、同じ位置の保持部６１を用いて突部１４を保持する構造を形成することは容易ではない。しかしながら、本実施形態のように、異なる保持部６１によって、突部１４を保持するようにすると、左右両側の化粧カバー６０を同形状にすることが容易になる。
【００４６】
図４、図６及び図７を用いて、保持部６１と突部１４との関係をより詳細に説明すると、図７で示す一対の第１保持部６１１が、図６に示す第１取付面１０１Ａの第１突部１４１と第２突部１４２とを保持する。また、図７で示す一対の第２保持部６１２が、図４から理解されるように、第２取付面１０１Ｂの第１突部１４１と第２突部１４２とを保持する。このように４つの保持部６１のうち、突部１４を保持するための一対の保持部６１が異なる保持部６１で構成されている。そして、取り付けられた後の化粧カバー６０において、前側に配置される２つの保持部６１のうちの下側の保持部６１が第１突部１４１と接し、後側に配置される２つの保持部６１のうちの上側の保持部６１が第２突部１４２と接している。いわば４つの保持部６１のうちの対角位置にある互いに異なる一対の保持部６１が用いられて、突部１４が保持される。保持部６１と突部１４とがこのような位置関係となることで、同形状の化粧カバー６０を筐体１０の両側部に容易に取り付けることができる。
【００４７】
保護カバー５０は、機能面１７０を保護するカバーである。図３に示すように、保護カバー５０は、保護カバー本体５００と、保護カバー本体５００に取り付けられるカバー回転軸５０１とにより構成されている。保護カバー５０は、樹脂により形成されている。保護カバー５０は、筐体１０に回転可能に結合されている。保護カバー５０の開閉により、給電ボックス１は、開状態と閉状態とが変化する。保護カバー５０は第２本体３０に結合される。
【００４８】
給電ボックス１は、図２に示すように、保護カバー５０が機能面１７０を覆う閉状態と、図１に示すように、保護カバー５０が機能面１７０を覆わずに露出させる開状態とを有する。そのため、保護カバー５０は、給電ボックス１の不使用時（給電を行わないとき）には、機能面１７０を保護することができ、給電ボックス１の使用時（給電を行うとき）には、機能面１７０を露出させることができる。保護カバー５０は、回転可能に筐体１０に結合されており、設置面２Ａと平行な軸を中心に回転可能である。保護カバー５０は、上下方向の回転が可能となっている。保護カバー５０の先端が上がる方向の回転が、上回転であり、保護カバー５０の先端が下がる方向の回転が、下回転である。保護カバー５０が開状態と閉状態とを有するといってもよい。閉状態と開状態との間の状態の移行は、保護カバー５０の回転により行われる。保護カバー５０は、筐体１０の上面を回転軸にして、先端部が円弧を描きながら回転する。使用者は、保護カバー５０の端部をつまんで容易に保護カバー５０を回転させることができる。
【００４９】
給電ボックス１は、図２に示す閉状態から、保護カバー５０が上方向に回転すると、図１に示す開状態となる。また、給電ボックス１は、図１に示す開状態から、保護カバー５０が下方向に回転すると、図２に示す閉状態となる。これにより、外部の電気機器との接続を行いたいときに、機能面１７０を露出させ、外部の電気機器との接続の必要がないときに、機能面１７０を保護することができる。そのため、給電端子がゴミや液体などの異物に触れることを抑制することができる。特に、給電接続部７０Ａの差込口７０ａは、電気接続を行う給電端子が配置される部分であり、この部分に異物が侵入すると、接続不良や故障の原因になる。しかしながら、保護カバー５０によって給電端子を保護できるため、接続不良や故障を効果的に抑制することができる。
【００５０】
筐体１０は、保護カバー５０が結合されるカバー結合面１０３を有する。カバー結合面１０３は、筐体１０の上面である。この筐体１０の上面に保護カバー５０の回転軸が配置される。
【００５１】
図８は、保護カバー５０を示している。図８では、開状態にある保護カバー５０を前方から見た様子が示されている。保護カバー５０は、図３に示すように、機能面１７０の保護を行う保護カバー本体５００と、保護カバー本体５００に取り付けられるカバー回転軸５０１とを有する。保護カバー本体５００は、保護カバー５０の回転を支持する回転支持部５３を有しており、回転支持部５３は軸用孔５３０を有している。回転支持部５３は、保護カバー本体５００の両側部に設けられている。回転支持部５３は、円柱状である。軸用孔５３０にカバー回転軸５０１が挿入されることにより、カバー回転軸５０１が保護カバー本体５００と一体化し、保護カバー５０が形成される。カバー回転軸５０１は、保護カバー本体５００に固定される。カバー回転軸５０１は、回転支持部５３内で回転しなくてよい。カバー回転軸５０１は、引っ掛かることによって保護カバー本体５００に結合されており、保護カバー本体５００に取り付けられた後、容易に保護カバー本体５００から抜けない構造となっている。ただし、力をかけると、カバー回転軸５０１は、保護カバー本体５００から取り外すことが可能である。図８に示すように、カバー回転軸５０１の回転支持部５３から飛び出した部分が、保護カバー５０を回転させるための軸部５４となる。保護カバー５０は、軸部５４を中心に上下方向の回転（時計回り及び反時計まわりの回転）が可能となっている。
【００５２】
保護カバー５０は、上述した回転支持部５３と、軸部５４とを有し、さらに、載置部５２と、立て掛け部５１とを有している。回転支持部５３と、載置部５２と、立て掛け部５１とは、保護カバー本体５００に設けられている（図３参照）。載置部５２は、開状態において外部機器３が載置される部分である。立て掛け部５１は、開状態において外部機器３が立て掛けられる部分である。このように、保護カバー５０によって、外部機器３を載置させることができると、外部機器３の置き場を確保することができるため、少ないスペースで給電を行うことが可能になって、給電ボックス１の利便性を向上することができる。
【００５３】
図１２は、給電ボックス１を用いて、外部機器３への給電を行っている様子を示している。図１２の外部機器３は、通信用の携帯機器であり、具体的にはスマートフォンである。外部機器３は、載置部５２の上に載置され、立て掛け部５１に立て掛けられることで、給電ボックス１の上に安定して置かれている。図１２に示すように、外部機器３と給電接続部７０Ａとをケーブル４で電気的に接続することにより、外部機器３の充電を行うことができる。
【００５４】
立て掛け部５１は、保護カバー５０の先端（自由端）に配置されている。載置部５２は、立て掛け部５１と回転支持部５３との間に配置されている。立て掛け部５１は、平板状になっている。載置部５２は、平板状になっている。図１及び図２に示すように、開状態及び閉状態において、立て掛け部５１は、上下方向に延びている。開状態及び閉状態において、載置部５２は、前後方向に延びている。
【００５５】
図２に示すように、立て掛け部５１は、閉状態において、機能面１７０を覆っている。立て掛け部５１は、機能面１７０を保護する保護部５５として機能する。立て掛け部５１が、機能面１７０を保護する部分（保護部５５）と共用されることにより、効率よく機能面１７０の保護と、外部機器３の載置とを行うことができ、給電ボックス１の利便性を向上することができる。
【００５６】
保護カバー５０は、載置部５２と立て掛け部５１とが交差する関係で配置されている。交差する関係とは、載置部５２が有する面と、立て掛け部５１が有する面とが交差することを意味する。具体的には、本実施形態では、載置部５２と立て掛け部５１とで形成する形状がＬ字状となっている。ここで、カバー結合面１０３は、第１本体２０に配置される第１カバー結合面１０３Ａと、第２本体３０に配置される第２カバー結合面１０３Ｂとを有する（図６参照）。そして、図２に示すように、閉状態では、載置部５２は第１カバー結合面１０３Ａを覆い、立て掛け部５１は設置面２Ａに向かって、すなわち下方に延びている。また、開状態では、載置部５２は第２カバー結合面１０３Ｂに接し、立て掛け部５１は設置面２Ａとは反対方向に、すなわち上方に突出している。このように保護カバー５０がＬ字形状になることにより、Ｌ字形状の部分（載置部５２及び立て掛け部５１）によって、開状態にあっては、容易に安定して外部機器３を載置することができる。また、閉状態にあっては、Ｌ字形状の部分（載置部５２及び立て掛け部５１）で筐体１０の上面と前面とを覆うことができ、機能面１７０をより確実に保護することができる。そのため、給電ボックス１の利便性がさらに向上する。
【００５７】
本実施形態では、立て掛け部５１と載置部５２とは、垂直な関係となっている。ただし、立て掛け部５１と載置部５２との境界部分は、断面円弧状となり、アール（Ｒ）の付いた曲面となっている。載置部５２は主部１０Ａの上面に沿っており、立て掛け部５１は主部１０Ａの前面に沿っている。そして、上述のように、本実施形態では、主部１０Ａは、設置面２Ａに対して傾斜している。そのため、地表面と平行な設置面２Ａに給電ボックス１が設置されたとき（上下方向が鉛直方向となったとき）には、立て掛け部５１は、閉状態において、筐体１０の前面にもたれかかる。これにより、保護カバー５０が不用意に開くことが抑制される。
【００５８】
保護カバー５０は、図８から分かるように、閉状態のときに筐体１０に向う側の面に、筐体１０に向かって盛り上がる盛上り部５６を有している。盛上り部５６は、立て掛け部５１に設けられている。盛上り部５６は、閉状態となったときに、筐体１０の前面に接触することができる。これにより、保護カバー５０が回転して閉状態になるときに、保護カバー５０と筐体１０とが盛上り部５６で接触する。そのため、閉状態になるときに保護カバー５０が筐体１０に当たる音を小さくすることができる。また、保護カバー５０は、盛上り部５６によって点状に筐体１０と接触するため、保護カバー５０と筐体１０との接触位置が安定化し、がたつきを抑制することができる。
【００５９】
図９は、化粧カバー６０を取り外した状態における開状態の給電ボックス１を示している。図９に示すように、開状態において、載置部５２は、第２カバー結合面１０３Ｂに接している。このとき、載置部５２は、第２カバー結合面１０３Ｂに面接触する。それにより、保護カバー５０が安定性よく筐体１０の上面に配置され、外部機器３を安定に載置することができる。また、保護カバー５０が、開状態からさらに立て掛け部５１が後方になるように回転しようとするときに、筐体１０にかかる力を第２カバー結合面１０３Ｂで受けることができる。そのため、保護カバー５０に過剰に回転力がかかったとしても保護カバー５０が回転しなくなるため、給電ボックス１の破損が抑制される。また、第２カバー結合面１０３Ｂは曲面を有し、この曲面が、載置部５２と立て掛け部５１との境界部分に対応している。そのため、保護カバー５０の回転による力をさらに効果的に第２カバー結合面１０３Ｂで受けることができ、給電ボックス１の破損が抑制される。
【００６０】
図９に示すように、回転支持部５３は、載置部５２から突出している。回転支持部５３は、開状態のとき、筐体１０の上方において、上方向に突出している。回転支持部５３の上端部は、開状態における載置部５２の上面よりも、上方に配置されている。このように、回転支持部５３が突出すると、図１２に示すように、外部機器３を載置させたときには、外部機器３を回転支持部５３に引っ掛けることが可能になるため、外部機器３を安定して載置することができる。
【００６１】
また、筐体１０は、カバー結合面１０３において突出し、保護カバー５０の回転を支持する回転支持突部１５を有している。回転支持突部１５は、半円柱状である。回転支持突部１５は、筐体１０の左右方向の中央に設けられており、保護カバー５０の２つの回転支持部５３の間に配置される。また、筐体１０は、回転支持突部１５の両側方に、回転支持部５３の外周面に対向する円弧面を有する円弧部１７を有している（図３参照）。円弧部１７は、回転支持部５３の外周面を覆っており、それにより、保護カバー５０は、見栄えよく配置されるとともに、滑らかに回転することができる。
【００６２】
回転支持突部１５は、図３に示すように、下方向に開放した円弧状の凹み１５ａを有する断面Ｕ字状の形状を有しており、軸受けとして機能することができる。回転支持突部１５は、第２本体３０に設けられている。回転支持突部１５は、第２本体３０の前部に配置されている。保護カバー５０の軸部５４が回転支持突部１５の凹み１５ａに入ることにより、保護カバー５０は第２本体３０に取り付けられる。このとき、回転支持突部１５と円弧部１７との間は、回転支持部５３が形成する円柱の直径よりも狭くなっており、軸部５４は、回転支持突部１５の先端を乗り越えて凹み１５ａに嵌められる。このため、軸部５４は、凹み１５ａに入った後は、回転支持突部１５に当たって容易に抜けなくなる。これにより、保護カバー５０は、第２本体３０に結合される。ただし、保護カバー５０は、軸部５４の嵌め込みによって第２本体３０に結合されており、力をかけて軸部５４を回転支持突部１５から外すことにより、保護カバー５０は容易に第２本体３０から取り外される。保護カバー５０は、着脱可能に第２本体３０に結合されている。
【００６３】
回転支持突部１５は、半円柱状になることによって設けられた円弧面を有する。回転支持部５３は、円柱状になることによって設けられた円弧面を有する。回転支持突部１５の円弧面と回転支持部５３の円弧面とは、連続した面を形成している。すなわち、両者の円弧面を形成する円の直径は略等しい。それにより、保護カバー５０と筐体１０との一体性が向上し、給電ボックス１の見栄えがよくなる。
【００６４】
回転支持突部１５は、図９に示すように、外部機器３を引っ掛ける第１受部１５１を有している。第１受部１５１は、開状態において、外部機器３からの、立て掛け部５１とは離れる方向への力を受けることができる。第１受部１５１は、回転支持突部１５の後部に設けられている。第１受部１５１は、回転支持突部１５が形成する半円柱形状の外周面が切り欠かれた面によって形成されている。この面は平面である。第１受部１５１と、立て掛け部５１とは、開状態において、対向している。また、回転支持部５３は、開状態において、外部機器３を引っ掛ける第２受部５３１を有している。第２受部５３１は、開状態において、外部機器３からの、立て掛け部５１とは離れる方向への力を受けることができる。第２受部５３１は、回転支持部５３における載置部５２と繋がる部分に設けられている。第２受部５３１は、回転支持部５３が形成する円柱形状の外周面が切り欠かれた面によって形成されている。この面は平面である。第２受部５３１と、立て掛け部５１とは対向している。
【００６５】
第２受部５３１は、開状態において、第１受部１５１に対応する位置に設けられている。第２受部５３１は、保護カバー５０の回転により移動するが、開状態では、第１受部１５１と第２受部５３１とは、連続する面を形成している。すなわち、両者の面は、前後方向において同じ位置に配置されており、面一になっている。このように、第１受部１５１と第２受部５３１とが設けられることにより、図１２に示すように、第１受部１５１と第２受部５３１とによって、外部機器３を引っ掛けて、外部機器３からの立て掛け部５１から離れる方向への力を受けることができる。そのため、外部機器３を安定に載置することができる。
【００６６】
第２受部５３１は、保護カバー５０の回転に伴い、回転軸を中心に回転する。そのため、閉状態では、保護カバー５０の回転により、第２受部５３１は、給電ボックス１の上面で露出しなくなる。さらに、図５及び図６に示すように、本実施形態では、化粧カバー６０が回転支持部５３の下部を覆っているため、閉状態では、第２受部５３１が隠され、側面からは、平面のない円弧の形状が回転支持部５３として視認される。このように、第２受部５３１が隠れることにより、円弧形状の印象を使用者に与えることができるため、給電ボックス１の見栄えが向上する。さらに、閉状態においては、回転支持部５３の円弧面が露出しており、この円弧面は、回転支持突部１５の円弧面と連続した面を形成している。そのため、閉状態において、給電ボックス１の上面において、回転支持部５３及び回転支持突部１５の一体感のある円弧面を見せることができ、給電ボックス１の見栄えがさらに向上する。
【００６７】
図１０は、給電ボックス１の断面図である。図１０に示すように、第２本体３０は、前方に突出する引掛突部３２を有している。引掛突部３２は、第１本体２０の内側に配置される。図３に示すように、引掛突部３２は、第２本体３０の前端に設けられている。引掛突部３２は、回転支持突部１５の前方に配置されている。開状態から保護カバー５０がさらに立て掛け部５１が後方に動く方向に回転する力が働くと、第２本体３０には、設置面２Ａに向かう方向、すなわち下方向の力がかかる。すると、第２本体３０の前端には、上方向の力がかかる。この力が強くなると、第２本体３０が第１本体２０から外れたり、第２本体３０が破損されたりするおそれがある。このとき、引掛突部３２は、第１本体２０の内面に引っ掛かり、第２本体３０の前端を受けることができる。そのため、第２本体３０が第１本体２０から外れたり、破損されたりすることが抑制される。このように、引掛突部３２は、第１本体２０に引っ掛かることによって保護カバー５０の回転による応力を受けることができる。そのため、筐体１０の分解や破損が抑制され、給電ボックス１の強度を向上することができる。また、保護カバー５０の過剰な回転による給電ボックス１の破損や分解が抑制されるため、給電ボックス１の利便性が向上する。
【００６８】
ここで、図９及び図１０で示すように、開状態において、載置部５２は、立て掛け部５１側の部分が設置面２Ａに近くなるように、すなわち下向きに、傾斜している。開状態の載置部５２は、取付領域１１０の上辺１１１と平行な関係になっている。載置部５２は、筐体１０の主部１０Ａの上面に沿って配置されている。載置部５２の設置面２Ａに対する傾斜角度は、取付領域１１０の傾斜角度θと等しい。また、立て掛け部５１は、設置面２Ａに垂直な方向に対して、立て掛け部５１の先端が後方に倒れる方向に傾斜している。立て掛け部５１は、取付領域１１０の後辺１１４が延びる方向と同じ方向に延びている。このため、図９及び図１０で示すように、載置部５２と立て掛け部５１とで形成するＬ字形状は、設置面２Ａに対して傾いている。開状態では、載置部５２と立て掛け部５１との境界部分が、保護カバー５０のうちで最も下に位置する。そのため、保護カバー５０が開状態になったときには、保護カバー５０は、筐体１０の上面にもたれかかるように載置され、立て掛け部５１は後方に動く方向の重力を受ける。これにより、開状態にある保護カバー５０は、閉状態の方向に回転しにくくなり、保護カバー５０が安定して開状態の位置で配置される。また、外部機器３を載置部５２に置いたときには、外部機器３を立て掛け部５１にもたれさせることが容易になる。そのため、外部機器３を安定して載置することができる。
【００６９】
図１１Ａ〜図１１Ｃは、保護カバー５０の軸部５４の近傍の拡大図である。これらの図では、説明のため、第２本体３０を省略している。また、図１１Ｂでは、干渉部１６が見えるように、保護カバー５０の一部を取り除いている。図１１Ａ〜図１１Ｃでは、左側の回転支持部５３の近傍の様子が示されている。
【００７０】
本実施形態では、筐体１０は、保護カバー５０が回転する際に、保護カバー５０に当たって干渉する干渉部１６を有している。図１１Ａ〜図１１Ｃを用いて、保護カバー５０と筐体１０の干渉を説明する。
【００７１】
第１本体２０は、図３に示すように、保護カバー５０の軸部５４に対して垂直な方向（前後方向）に延びるリブ２３を有している。リブ２３は、軸部５４に当たらないように設けられている。さらに、リブ２３には、保護カバー５０の回転支持部５３に向かう突起が設けられている。この突起が、干渉部１６となる。干渉部１６は、側方に突出している。干渉部１６は、保護カバー５０の回転支持部５３の側面５３ａに向かっている。
【００７２】
図１１Ａは、保護カバー５０が開状態（図１参照）のときの様子を示している。図１１Ｂは、保護カバー５０が開状態から閉状態へ移行するときの様子を示している。図１１Ｃは、保護カバー５０が閉状態（図２参照）のときの様子を示している。開状態から閉状態に移行するときには、図１１Ａ、図１１Ｂ、図１１Ｃの順に保護カバー５０の状態が変遷する。開状態では、干渉部１６は、回転支持部５３に当たらない。そのため、保護カバー５０には、干渉部１６からの力が働かず、簡単に保護カバー５０を回転させることができる。そして、保護カバー５０を回転させると、図１１Ｂに示すように、回転支持部５３の側面５３ａが干渉部１６に近づき、干渉部１６が回転支持部５３の側面５３ａに当たるようになっている。図１１Ｂ及び図１１Ｃでは、回転支持部５３の側面５３ａの縁部の見えない部分が破線で示されている。
【００７３】
ここで、図８に示すように、回転支持部５３の側面５３ａは、載置部５２に近い方が内側になるように傾斜している。図８では、回転支持部５３の側面５３ａの傾きが、２点破線で示されている。回転支持部５３の左右方向の長さ（幅）は、載置部５２から遠くなるほど小さく、すなわち幅狭となっている。左右両側の２つの回転支持部５３の間が載置部５２から遠くなるほど徐々に広くなるといってもよい。そのため、図１１Ｂに示すように、保護カバー５０が閉状態に向かって回転するにしたがって、回転支持部５３の側面５３ａが干渉部１６に近づき、干渉部１６による干渉作用が強くなる。干渉部１６は、摩擦力によって、保護カバー５０の回転を規制する。ただし、さらに保護カバー５０が回転して、図１１Ｃで示す閉状態に移ると、干渉部１６は、第２受部５３１による凹みに収まり、干渉部１６は回転支持部５３の側面５３ａに当たらなくなる。そのため、閉状態では、保護カバー５０は、干渉部１６による干渉を受けなくなる。
【００７４】
図１１Ａでは、回転支持部５３の側面５３ａが左右方向で最も飛び出す位置（回転支持突部１５に近い位置）を第１の位置５３Ｈとして表している。また、回転支持部５３の側面５３ａが左右方向で最も凹む位置（回転支持突部１５から遠い位置）を第２の位置５３Ｌとして表している。また、干渉部１６の先端の位置を先端位置１６Ｐとして表している。先端位置１６Ｐは、第１の位置５３Ｈと第２の位置５３Ｌとの間に配置されている。先端位置１６Ｐがこのように配置されることで、保護カバー５０の回転に伴って干渉を発生させることができるため、干渉部１６による干渉作用を効果的に得ることができる。
【００７５】
また、図８から分かるように、回転支持部５３は、載置部５２との連結部分よりも載置部５２から遠い部分が細くなって先細りするテーパ状の形状を有する。このような形状は、保護カバー５０の樹脂成形の際に形成することができる。樹脂成形では、金型内で樹脂を成形した後、金型を取り外すこと（いわゆる離型）が要求される。このとき、回転支持部５３がテーパ形状になっていると、このテーパ形状を利用することより離型性がよくなる。本実施形態では、金型の離型の際のテーパ形状を利用して、回転支持部５３の側面５３ａを所望の形状にすることができる。そのため、干渉部１６との干渉を行う回転支持部５３を効率よく形成することができる。
【００７６】
このように、干渉部１６によって、保護カバー５０は回転しにくくなる。干渉部１６がない場合、保護カバー５０が閉状態に向かって回転したときに、保護カバー５０の立て掛け部５１が筐体１０の前面に勢いよく当たるおそれがある。立て掛け部５１が筐体１０に勢いよく当たると、筐体１０と立て掛け部５１との接触による大きな音が発生するおそれがある。しかしながら、干渉部１６があることにより、保護カバー５０の回転が規制されて、保護カバー５０が勢いよく筐体１０に当たることが抑制される。そのため、閉状態に移行するときの大きな音の発生を抑制できる。また、干渉部１６があると、回転支持部５３の側面５３ａを干渉部１６が押すことで、保護カバー５０の左右方向のがたつきを抑えることができる。そのため、保護カバー５０の結合を安定化することができる。また、干渉部１６があると、保護カバー５０を回転させる際に、使用者に力の負荷を与えることができる。開閉時に力が負荷されると、使用者は、保護カバー５０が勝手に回転する印象を持ちにくくなる。そのため、干渉部１６がないときに比べて、使用者に良好な使用感を得ることができる。
【００７７】
また、上述のように、干渉部１６は閉状態では第２受部５３１によって設けられた凹みに入るため、閉状態において、保護カバー５０は、干渉部１６による干渉を受けないように構成されている。そのため、保護カバー５０が閉状態に移る直前の中途半端な状態の位置で止まってしまうことを抑制することができ、保護カバー５０をより確実に閉状態の位置にまで回転させることができる。そのため、給電ボックス１を確実に閉状態に移行させることができるため、機能面１７０の保護性が高まる。また、保護カバー５０がわずかに開いたままその位置で止まるような状態が維持されることが抑制され、給電ボックス１の見栄えをよくすることができる。
【００７８】
［給電ボックスの設置］
給電ボックス１の設置は、図３が参照される。給電ボックス１の設置にあたっては、まず、対象物２の設置面２Ａに、ネジや釘などで支持体４０を取り付ける。対象物２は、あらかじめ孔があけられるなどして、電気配線が通されていてよい。この電気配線は、支持体４０の開口４５ａに通される。また、保護カバー５０を第２本体３０に嵌め込んで結合する。また、給電ブロック７０を第１本体２０に嵌め込んで固定する。次に、給電ブロック７０に電気配線を接続して、外部電源と給電ブロック７０とを電気的に接続する。次いで、支持体４０の前方から第１本体２０を支持体４０に近づけ、支持体４０の後方から第２本体３０を支持体４０に近づけ、支持体４０の位置において、第１本体２０と第２本体３０とを結合する。第１本体２０と第２本体３０との結合により、筐体１０が形成される。そして、接合具８１により、筐体１０を支持体４０に接合する。ここまでの作業で、図４に示す状態の給電ボックス１が得られる。最後に、化粧カバー６０を筐体１０の側面に取り付ける。これにより、図１及び図２に示す給電ボックス１が得られる。以上によって、給電ボックス１の設置が完了する。なお、電気配線は、ノックアウト部３３が取り除かれた孔を通ってもよい。その場合、対象物２に電気配線を通す孔を設けることなく、給電ブロック７０と電気配線との電気接続を行うことができる。
【００７９】
設置された給電ボックス１は、部材の着脱が可能になっているため、補修や取り換えが容易である。例えば、上記の給電ボックス１の設置の作業とは逆の作業を行うことで、給電ボックス１を分解することができる。そして、この分解した部材において、給電ブロック７０を入れ替えることで、給電ブロック７０の故障のときの取り換え替えができる。また、別の給電ブロック７０を取り付けることで、異なる種類の給電端子を有する給電ボックス１を得ることができる。また、保護カバー５０が破損した場合には、保護カバー５０の取り替えを行うことができる。また、化粧カバー６０が破損した場合には、化粧カバー６０の取り替えを行うことができる。もちろん、筐体１０の取り換えも可能である。また、給電ボックス１を対象物２から取り外すことができ、取り外された給電ボックス１は再利用可能である。このように、給電ボックス１は、補修性、取り扱い性に優れている。
【００８０】
［変形例］
上記で説明した給電ボックス１は、給電ボックスの一態様を示したに過ぎず、給電ボックス１は、その効果を逸脱しない範囲で、種々に変形することができる。給電ボックス１の変形の態様の例を以下に挙げる。以下の態様は、齟齬がない限り、複数の態様が組み合わせられてもよい。また、給電ボックス１は、以下の態様とは異なる態様で変形されてもよい。
【００８１】
給電ボックス１は、保護カバー５０を有さなくてもよい。例えば、給電ボックス１は、機能面１７０を常に露出させていてもよい。
【００８２】
給電接続部７０Ａは、１つのＡＣ給電部７０１と２つのＵＳＢ給電部７０２でなくてもよい。給電ブロック７０は、１つ、２つ又は３つ以上のＡＣ給電部７０１を有していてもよい。また、給電ブロック７０は、ＡＣ給電部７０１を有さずに、１つ又は複数のＵＳＢ給電部７０２を有していてもよい。図示のＡＣ給電部７０１は、日本規格のタイプであるが、外国規格のタイプであってもよい。また、給電接続部７０Ａは、非接触式の給電方式であってもよい。
【００８３】
また、給電ブロック７０は、スイッチを有していてもよい。例えば、スイッチのオン及びオフによって、給電端子からの電気の供給の有無が切り替えられてもよい。
【００８４】
各部材の係合する構造においては、雄雌関係が逆転してもよい。例えば、第１本体２０と第２本体３０とが係合する構造（係合受部２２、係合部３１）の雄雌関係が逆転してもよい。また、化粧カバー６０と筐体１０との係合関係が入れ替わってもよい。例えば、化粧カバー６０に突起が設けられ、筐体１０に保持部が設けられ、筐体１０の保持部で化粧カバー６０の突起を保持してもよい。
【００８５】
化粧カバー６０のガイドの構造においては、雄雌関係が逆転してもよい。例えば、化粧カバー６０にガイド部が設けられ、筐体１０にガイド受けが設けられていてもよい。
【００８６】
ガイド部１２は、第２本体３０ではなく、第１本体２０に設けられてもよい。
【００８７】
突出部１１は、第１本体２０及び第２本体３０のうちのいずれか一方のみに設けられてもよい。
【００８８】
筐体１０に設けられた構成のうち、第１本体２０にある構成が第２本体３０に設けられたり、第２本体３０にある構成が第１本体２０に設けられたりしてもよい。例えば、回転支持突部１５は、第１本体２０に設けられていてもよい。また、筐体１０は、第１本体２０と第２本体３０とに加えて、さらに別の部材を有していてもよい。
【００８９】
接合具８１は、ネジでなくてもよい。例えば、接合具８１は、ボルトとナットとにより構成されてもよい。あるいは、例えば、接合具８１は、挟み込むことで接合するクリップ状部材に置き換えられてもよい。
【００９０】
給電ボックス１に含まれる部材は、着脱可能に結合されなくてもよい。例えば、第１本体２０と第２本体３０とは、着脱可能でなくてもよい。保護カバー５０は第２本体３０に着脱可能に結合されていなくてもよい。
【００９１】
保護カバー５０は、第１本体２０に取り付けられてもよい。
【００９２】
保護カバー５０は、保護カバー本体５００とカバー回転軸５０１とが一体化した一つの部材であってもよい。
【００９３】
保護カバー５０は、回転支持部５３を左右方向の両端に有さなくてもよい。例えば、保護カバー５０は、回転支持部５３を左右方向の中央に有していてもよい。
【００９４】
保護カバー５０は、軸部５４を有さなくてもよい。例えば、筐体１０が回転軸を有し、保護カバー５０がこの回転軸を受ける軸受を有していてもよい。
【００９５】
保護カバー５０に設けられるテーパ状の面（回転支持部５３の側面５３ａ）は、片方のみでもよい。
【００９６】
給電ボックス１が有している構成の数は、１つが２つ以上に変更されたり、２つ以上が１つに変更されたりしてもよい。例えば、化粧カバー６０の数は１つであってもよい。また、例えば、複数の孔（ネジ孔４１ａなど）は、１つであってもよい。
【００９７】
［給電ボックスの要点］
以上より、本実施形態の給電ボックス１の要点をまとめると次のようになる。
【００９８】
給電ボックス１は、給電ブロック７０と、筐体１０と、支持体４０と、化粧カバー６０と、を備えている。給電ブロック７０は、外部機器３に給電するための機能面１７０を有する。筐体１０は、箱状であり、機能面１７０が露出するように給電ブロック７０を収容する。支持体４０は、対象物２の設置面２Ａに設置される。化粧カバー６０は、筐体１０に取り付けられている。筐体１０は、機能面１７０を露出させる開口部２１を有する第１本体２０と、第１本体２０と結合される第２本体３０とを有している。筐体１０は、筐体１０から突出する突出部１１を有している。支持体４０は、突出部１１に対応して配置される接合部４１を有している。筐体１０と支持体４０とは、突出部１１と接合部４１とが接合されることによって接合されている。化粧カバー６０は、突出部１１と接合部４１とが接合される部分（接合部分８０）を覆っている。
【００９９】
本実施形態によれば、化粧カバー６０によって接合部分８０を覆うため、見栄えをよくしながら、固定強度を確保することができる給電ボックス１を得ることができる。
【０１００】
本実施形態では、筐体１０は、化粧カバー６０が取り付けられ設置面２Ａに対して立ち上がる取付面１０１と、開口部２１が配置され設置面２Ａに対して立ち上がる開口面１０２とを有する。また、化粧カバー６０は、取付面１０１への投影面積が、取付面１０１の面積よりも小さい。そのため、給電ボックス１の見栄えをさらに良好にしながら、固定強度を確保することができる。
【０１０１】
本実施形態では、取付面１０１は、化粧カバー６０が配置される取付領域１１０を有している。そして、取付領域１１０は、仮想四角形１１５の四辺に沿う四辺を有し、化粧カバー６０は、取付領域１１０の四辺に沿った四辺を有する。そのため、給電ボックス１の外観が整い、給電ボックス１の見栄えをさらに良好にしながら、固定強度を確保することができる。
【０１０２】
本実施形態では、取付領域１１０は、開口部２１が設置面２Ａとは反対側に向くように、設置面２Ａに対して傾斜している。そのため、傾斜によって良好なデザイン性が付与されるため、給電ボックス１の見栄えを良好にしながら、固定強度を確保することができる。
【０１０３】
本実施形態では、取付領域１１０の設置面２Ａに対する傾斜角度は、５〜１５度の範囲内である。そのため、開口部２１が設置面２Ａとは反対側に向くことにより、給電ボックス１の利便性が向上する。
【０１０４】
本実施形態では、化粧カバー６０は、取付面１０１に沿った一方向に移動し、筐体１０は、取付面１０１に、化粧カバー６０の前記一方向への移動をガイドするガイド部１２と、化粧カバー６０を引っ掛ける引掛部１３とを有する。そのため、化粧カバー６０の取り付けが容易になり、また、化粧カバー６０が筐体１０に安定して固定される。
【０１０５】
本実施形態では、筐体１０は、取付面１０１に複数の突部１４を有している。そして、複数の突部１４は、第１本体２０に配置される第１突部１４１と、第２本体３０に配置される第２突部１４２とを含む。また、化粧カバー６０は、その裏面に、複数の保持部６１を有している。そして、複数の保持部６１は、第１突部１４１と第２突部１４２とを保持している。そのため、化粧カバー６０が筐体１０にさらに安定して固定される。
【０１０６】
本実施形態では、取付面１０１は、第１取付面１０１Ａと、第２取付面１０１Ｂとを含み、化粧カバー６０は、第１取付面１０１Ａに取り付けられる第１化粧カバー６０Ａと、第２取付面１０１Ｂに取り付けられる第２化粧カバー６０Ｂとを含む。また、第１化粧カバー６０Ａと第２化粧カバー６０Ｂとは同形状である。そして、複数の保持部６１は、第１取付面１０１Ａにおいて第１突部１４１と第２突部１４２とを保持する第１保持部６１１と、第２取付面１０１Ｂにおいて第１突部１４１と第２突部１４２とを保持する第２保持部６１２とを有している。そして、複数の保持部６１のうちの一部が、第１保持部６１１を構成し、複数の保持部６１のうちの他部が、第２保持部６１２を構成している。そのため、同形状の化粧カバー６０で接合部分８０を覆うことができるため、給電ボックス１の利便性がさらに向上する。また、給電ボックス１の生産性が向上する。
【０１０７】
本実施形態では、給電ボックス１は、機能面１７０を保護する保護カバー５０をさらに備えている。そして、保護カバー５０は、筐体１０に、回転可能に結合されている。そして、給電ボックス１は、保護カバー５０が機能面１７０を覆う閉状態と、閉状態から保護カバー５０が回転して、機能面１７０を露出させる開状態とを有する。そのため、機能面１７０を使用しないときには機能面１７０を保護することができ、給電ボックス１の故障を抑制できるため、給電ボックス１の利便性が向上する。
【０１０８】
本実施形態では、筐体１０は、保護カバー５０が結合されるカバー結合面１０３を有している。そして、保護カバー５０は、設置面２Ａと平行な軸を中心に回転可能である。そして、保護カバー５０は、保護カバー５０の回転を支持する回転支持部５３と、開状態において外部機器３が載置される載置部５２と、開状態において外部機器３が立て掛けられる立て掛け部５１とを有する。そのため、給電される外部機器３を給電ボックス１に置いて給電することができるため、給電ボックス１の利便性がさらに向上する。
【０１０９】
本実施形態では、立て掛け部５１は、閉状態において、機能面１７０を覆う。そのため、効率よく機能面１７０の保護を行うことができ、給電ボックス１の利便性が向上する。
【０１１０】
本実施形態では、保護カバー５０は、載置部５２と立て掛け部５１とが交差する関係で配置される。カバー結合面１０３は、第１本体２０に配置される第１カバー結合面１０３Ａと、第２本体３０に配置される第２カバー結合面１０３Ｂとを有している。そして、閉状態では、載置部５２は第１カバー結合面１０３Ａを覆い、立て掛け部５１は設置面２Ａに向かって延びている。また、開状態では、載置部５２は第２カバー結合面１０３Ｂに接し、立て掛け部５１は設置面２Ａとは反対方向に突出する、そのため、機能面１７０の保護と外部機器３の載置とを効果的に行うことができ、給電ボックス１の利便性が向上し、見栄えも良好になる。
【０１１１】
本実施形態では、回転支持部５３は、開状態において、載置部５２から突出する。そのため、外部機器３をより安定に載置することができる。
【０１１２】
本実施形態では、筐体１０は、カバー結合面１０３において突出し、保護カバー５０の回転を支持する回転支持突部１５を有する。回転支持突部１５は、開状態において、外部機器３からの、立て掛け部５１とは離れる方向への力を受ける第１受部１５１を有している。そして、回転支持部５３は、開状態において、外部機器３からの、立て掛け部５１とは離れる方向への力を受ける第２受部５３１を、第１受部１５１に対応する位置に有している。そして、閉状態では、保護カバー５０の回転により、第２受部５３１が隠れる。そのため、外部機器３をより安定して載置させることができ、また、給電ボックス１の見栄えがさらに向上する。
【０１１３】
本実施形態では、第２本体３０は、第１本体２０に引っ掛かることによって保護カバー５０の回転による応力を受ける引掛突部３２を有する。そのため、筐体１０の破損や分解が抑制されるため、給電ボックス１の利便性が向上する。
【０１１４】
本実施形態では、筐体１０は、保護カバー５０が回転する際に、保護カバー５０に当たって干渉する干渉部１６を有する。そのため、保護カバー５０のぐらつきがなくなり、保護カバー５０が安定して配置される。また、保護カバー５０が閉まるときの音が小さくなるため、使用感が良好になる。
【符号の説明】
【０１１５】
１        給電ボックス
２        対象物
２Ａ      設置面
３        外部機器
１０      筐体
１１      突出部
１２      ガイド部
１３      引掛部
１４      突部
１５      回転支持突部
１６      干渉部
２０      第１本体
２１      開口部
３０      第２本体
３２      引掛突部
４０      支持体
４１      接合部
５０      保護カバー
５１      立て掛け部
５２      載置部
５３      回転支持部
６０      化粧カバー
６０Ａ    第１化粧カバー
６０Ｂ    第２化粧カバー
６１      保持部
７０      給電ブロック
８０      接合部分（突出部と接合部とが接合される部分）
１０１    取付面
１０１Ａ  第１取付面
１０１Ｂ  第２取付面
１０２    開口面
１０３    カバー結合面
１０３Ａ  第１カバー結合面
１０３Ｂ  第２カバー結合面
１１０    取付領域
１１５    仮想四角形
１４１    第１突部
１４２    第２突部
１５１    第１受部
１７０    機能面
５３１    第２受部
６１１    第１保持部
６１２    第２保持部
【図１】
0006748903.tif 000002
【図２】
0006748903.tif 000003
【図３】
0006748903.tif 000004
【図４】
0006748903.tif 000005
【図５】
0006748903.tif 000006
【図６】
0006748903.tif 000007
【図７】
0006748903.tif 000008
【図８】
0006748903.tif 000009
【図９】
0006748903.tif 000010
【図１０】
0006748903.tif 000011
【図１１】
0006748903.tif 000012
【図１２】
0006748903.tif 000013